(57)【特許請求の範囲】
【請求項１】
水槽の上部に設置され、上面に凹陥部を有するハウジングと、
前記ハウジング内に配置され、水槽内を照明するための照明灯と、
前記凹陥部の上方開放部に着脱自在に取り付けられた凹陥部カバーとを備え、前記凹陥部内面に、前記照明灯の点灯／消灯の切換えを行うための照明点灯スイッチが設けられ、
前記凹陥部カバーの前記照明点灯スイッチに対応する位置に、スイッチ操作用孔が形成されるとともに、
その孔に、開閉自在に蓋部材が設けられてなることを特徴とする観賞魚用水槽の照明装置。
【請求項２】
前記ハウジングの凹陥部の周側面に、サーモスタット、濾過装置用ポンプ、エアー供給用ポンプ等の水槽用電気機器の電源用として使用されるコンセントが設けられてなる請求項１記載の観賞魚用水槽の照明装置。
【発明の詳細な説明】
【０００１】
【発明の属する技術分野】
この発明は、例えば熱帯魚、金魚、水草等の水生生物の観賞や飼育用等として、更には水生生物の模型や水中環境模型の観賞用等として使用される観賞魚用水槽の照明装置に関する。
【０００２】
【従来の技術】
近年、観賞魚用水槽は、熱帯魚等の観賞、飼育用としてはもちろん、室内のインテリアとしても広く使用されている。
【０００３】
この種の水槽は上部に照明装置が設置されるが、その装置の照明灯は、一般に昼間は点灯しておくものの、就寝時等の夜間は消灯させておくものであり、点灯と消灯とを適当に切り換える必要がある。このため従来の照明装置は、点灯／消灯の切換え操作を不便なく行えるように、その切換えを行うための照明点灯スイッチが装置上面等の装置外表面に設けられるのが通例である。
【０００４】
【発明が解決しようとする課題】
ところが、上記従来の照明装置は、装置外表面に照明点灯スイッチが配置されるため、そのスイッチが外部に露呈し、良好な美観が得られないという問題を抱えている。
【０００５】
また水槽の使用に伴って多量の水が取り扱われるため、上記のようにスイッチが外部に露出していると、スイッチに水が付着し易く、スイッチが損傷したり、更に付着した水分がスイッチ内部に浸透することにより漏電が発生したり、場合によっては感電が生じるという不具合もあった。
【０００６】
この発明は、上記従来技術の問題を解消し、良好な美観が得られ、しかも照明点灯スイッチに水が付着するのを確実に防止でき、水分付着による不具合、例えばスイッチの損傷や、漏電、感電等が生じるのを防止できる観賞魚用水槽の照明装置を提供することを目的とする。
【０００７】
【課題を解決するための手段】
上記目的を達成するため、本発明の観賞魚用水槽の照明装置は、水槽の上部に設置され、上面に凹陥部を有するハウジングと、前記ハウジング内に配置され、水槽内を照明するための照明灯と、前記凹陥部の上方開放部に着脱自在に取り付けられた凹陥部カバーとを備え、前記凹陥部内面に、前記照明灯の点灯／消灯の切換えを行うための照明点灯スイッチが設けられ、前記凹陥部カバーの前記照明点灯スイッチに対応する位置に、スイッチ操作用孔が形成されるとともに、その孔に、開閉自在に蓋部材が設けられてなるものを要旨とする。
【０００８】
本発明の照明装置においては、ハウジングの凹陥部内面に照明点灯スイッチを設けるとともに、凹陥部カバーの前記スイッチに対応する位置に、スイッチ操作用孔を形成し、その孔に開閉自在に蓋部材を設けるものである。従ってスイッチ操作用孔を蓋部材により閉塞しておくことにより、照明点灯スイッチが外部から隠蔽される。
【０００９】
また照明点灯スイッチは、蓋部材により外部から遮断されるので、水分のスイッチ位置への浸入も確実に防止することができる。
【００１０】
なおスイッチの切換え操作は、蓋部材を開いてスイッチ操作用孔を開放させるだけで、簡単に行うことができる。
【００１１】
本発明においては、前記ハウジングの凹陥部の周側面に、サーモスタット、濾過装置用ポンプ、エアー供給用ポンプ等の水槽用電気機器の電源用として使用されるコンセントが設けられてなる構成を採用するのが好ましい。
【００１２】
すなわちこの構成を採用する場合には、コンセントに接続される電源コードのプラグ部分が凹陥部内に収納されるので、そのプラグ部分が突出状態に配置されるのを防止することができる。
【００１３】
【発明の実施の形態】
図１ないし図５に示すように、この発明の実施形態である照明装置（Ｐ）は、観賞魚用水槽（Ｔ）の上端における前半部領域に設置されるものであり、硬質合成樹脂の成形品かならるハウジング（１）を具備している。
【００１４】
ハウジング（１）は、下面が開放された横長の略ボックス形状のものであり、内部に蛍光灯等からなる３本の照明灯（２）が収納配置されるとともに、下端開放部に、その開放部を閉塞する態様に、透明な硬質合成樹脂製透光板（１３）がねじ止めにより取り付けられている。
【００１５】
更にハウジング（１）の上壁の中央領域は、上方へ膨出されて、膨出部（１１）が形成されるとともに、その膨出部（１１）における一側部後方には、平面視矩形状の凹陥部（１２）が形成されている。
【００１６】
この凹陥部（１２）には、種々の電気関連部品が設けられている。すなわち凹陥部（１２）内における前壁部一側には、上記３本の照明灯（２）の点灯／消灯切換えをそれぞれ個別に行うための３個の照明点灯スイッチ（３）が設けられ、更に前壁部他側には、５０Ｈｚ／６０Ｈｚ間の周波数切換えを行うための周波数切換えスイッチ（３１）が設けられ、両側壁には上記３本の照明灯（２）をそれぞれ点灯させるための３個のグロー放電管（３２）が設けられている。また凹陥部（１２）の前壁と一側壁とのコーナー部には、水槽用電気機器、例えばサーモスタット、濾過装置用ポンプ、エアー供給用ポンプ等の電源用として使用されるコンセント（３３）が設けられている。
【００１７】
なお、各照明点灯スイッチ（３）は、それぞれ上下方向に指を操作することにより、点灯／消灯の切換えを行えるように構成されている。
【００１８】
またハウジング（１）の凹陥部（１２）における後壁には、コード挿通用切欠部（１４）が形成されている。そして凹陥部（１２）内に設けられた照明装置（Ｐ）の電源コード（図示省略）や、上記コンセント（３３）に接続された水槽用電気機器の電源コード（図示省略）を上記切欠部（１４）に挿通して、装置外部に引き出せるように構成している。
【００１９】
一方、ハウジング（１）の凹陥部（１２）における上方開放部には、その開放部に適合し得る矩形形状の硬質合成樹脂製凹陥部カバー（４）が着脱自在に取り付けられている。
【００２０】
この凹陥部カバー（４）の前部一側には、すなわち上記照明点灯スイッチ（３）に対応する位置には、指を２〜３本程度挿通し得る大きさの矩形状のスイッチ操作用孔（４１）が形成されている。
【００２１】
更に凹陥部カバー（４）のスイッチ操作用孔（４１）の後縁部には、スイッチ操作用孔（４１）に適合し得る矩形形状の蓋部材（５）の後端が枢着されている。そして蓋部材（５）がその後端縁を支点にして上下方向に回転することにより、スイッチ操作用孔（４１）が蓋部材（５）により開閉されるように構成している。
【００２２】
また図６に示すように蓋部材（５）の一側縁には指掛け突片（５１）が側方突出状に形成されており、その突片（５１）の裏面側に指を掛けることにより、蓋部材（５）の開放操作を容易に行えるように構成している。
【００２３】
更に上記蓋部材（５）の指掛け突片（５１）に対応して、凹陥部カバー（４）におけるスイッチ操作用孔（４１）の縁部には、指掛けスペース確保用の凹段部（４２）が形成されており、上記蓋部材（５）の指掛け突片（５１）に指を掛ける際に、凹段部（４２）の内部空間を利用することにより、指を突片（５１）に無理なく掛止できるように構成している。
【００２４】
以上のように構成された本実施形態の照明装置は、通常状態においては、凹陥部カバー（４）の蓋部材（５）は閉塞されている。そして照明灯（２）を点灯するには、凹陥部カバー（４）の蓋部材（５）を開いてスイッチ操作用孔（４１）を開放し、その孔（４１）から指を挿入して、点灯スイッチ（３）を操作する。また逆に照明灯（２）を消灯する場合には、上記と同様に蓋部材（５）を開いて点灯スイッチ（３）の操作を行うものである。
【００２５】
本実施形態の照明装置（Ｐ）によれば、ハウジング（１）の凹陥部（１２）内に照明点灯スイッチ（３）を設けるとともに、そのスイッチ（３）を操作するための孔（４１）に、開閉自在に蓋部材（５）を設けているため、照明点灯スイッチ（３）が蓋部材（５）により外部から隠蔽され、良好な美観を得ることができる。
【００２６】
またスイッチ操作用孔（４）を蓋部材（５）により閉塞しておくことにより、スイッチ（３）が外部から遮断されるので、水分がスイッチ（３）設置位置へ浸入するのを確実に防止でき、水分の付着による不具合、例えばスイッチ（３）の損傷や、漏電、感電等が生じるのを確実に防止できる。
【００２７】
また照明点灯スイッチ（３）の操作は、蓋部材（５）を開くだけで、簡単に行える。しかも蓋部材（５）に指掛け突片（５１）を設けるとともに、その突片（５１）に指を無理なく掛止できるように、スイッチ操作用孔（４１）周縁部に凹段部（４２）を形成しているため、蓋部材（５）の開放操作も容易に行える。
【００２８】
更に照明点灯スイッチ（３）を上下方向に操作して、点灯／消灯の切換えを行えるように構成しているため、スイッチ操作用孔（４１）から挿入した指で、スムーズにスイッチ操作を行うことができ、点灯／消灯の切換えを、より一層簡単に行うことができる。
【００２９】
また本実施形態においては、点灯スイッチ（３）の他に、周波数切換えスイッチ（３１）、グロー放電管（３２）、コンセント（３３）等の電気関連部品をハウジング（１）の凹陥部（１２）にまとめて設けているため、電気系統の操作等を凹陥部（１２）内の一カ所で行えるので、良好な使い勝手を得ることができる。
【００３０】
更にこれらの電気関連部品は、通常、凹陥部カバー（４）により被覆されているため、水分が浸入するようなことはなく、漏電や感電等の不具合が生じることもない。
【００３１】
更にコンセント（３３）が凹陥部（１２）内に配置されているため、それに接続される電源コードのプラグ部分が、装置外表面に突出状態に配置されるようなことがなく、周辺に水槽関連の機器類等を整然と配置することができるとともに、より一層、美観を向上させることができる。
【００３２】
また本実施形態においては、照明灯（２）を３本設置するとともに、各照明灯（２）をそれぞれ個別に操作できるように、３個の照明点灯スイッチ（３）を設けているため、照明灯（２）の点灯数を調整することにより、水槽（Ｔ）内の光量を適度に設定することができ、インテリアとしてのデザイン性を、より一層向上させることができる。
【００３３】
もっとも本発明においては、照明灯（２）の設置数や、点灯スイッチ（３）の設置数は特に限定されるものではなく、また照明灯（２）の数と点灯スイッチ（３）の数とを必ずしも一致させる必要もない。
【００３４】
【発明の効果】
以上のように、本発明の観賞魚用水槽の照明装置によれば、ハウジングに設けられた凹陥部内面に照明点灯スイッチを設けるとともに、凹陥部カバーの前記スイッチに対応する位置に、スイッチ操作用孔を形成し、その孔に開閉自在に蓋部材を設けるものであるため、スイッチ操作用孔を蓋部材により閉塞しておくことにより、照明点灯スイッチが隠蔽され、良好な美観を得ることができる。また照明点灯スイッチが蓋部材により外部から遮断されるので、水分のスイッチ位置への浸入を確実に防止でき、水分がスイッチに付着することによる不具合、例えばスイッチの損傷や、漏電、感電等が生じるのを確実に防止できるという効果が得られる。
【００３５】
なお本発明においては、蓋部材を開放するだけで、照明点灯スイッチの切換え操作は支障なく簡単に行える。
【００３６】
本発明において、ハウジングの凹陥部内に、水槽用電気機器の電源用として使用されるコンセントが設けられてなる構成を採用する場合には、コンセントに接続される電源コードのプラグ部分が凹陥部内に収納されるので、そのプラグ部分が突出状態に配置されるのを防止でき、周辺に水槽関連機器類等を整然と配置できるとともに、より一層美観を向上させることができるという利点がある。
【図面の簡単な説明】
【図１】この発明の実施形態である照明装置が設置された観賞魚用水槽を示す斜視図である。
【図２】実施形態の照明装置の凹陥部周辺を示す斜視図である。
【図３】実施形態の照明装置の凹陥部周辺を分解して示す斜視図である。
【図４】実施形態の照明装置の凹陥部周辺を凹陥部カバーを取り外した状態で示す平面図である。
【図５】実施形態の照明装置の凹陥部周辺を示す側断面図である。
【図６】図２のVI−VI線断面図である。
【符号の説明】
１…ハウジング
２…照明灯
３…照明点灯スイッチ
４…凹陥部カバー
５…蓋部材
１２…凹陥部
３３…コンセント
４１…スイッチ操作用孔
Ｐ…照明装置
Ｔ…水槽
【図１】
0003670748.tif 000002
【図２】
0003670748.tif 000003
【図３】
0003670748.tif 000004
【図４】
0003670748.tif 000005
【図５】
0003670748.tif 000006
【図６】
0003670748.tif 000007